【手続補正書】
【提出日】平成24年8月2日(2012.8.2)
【手続補正１】
【補正対象書類名】特許請求の範囲
【補正対象項目名】全文
【補正方法】変更
【補正の内容】
【特許請求の範囲】
【請求項１】
被検体をコーンビームＸ線により走査して投影データを収集するガントリと、
第１の角度範囲をカバーする投影データセットに基づいて第１のボリュームデータを発生するとともに、前記第１の角度範囲よりも広い第２の角度範囲をカバーする投影データセットに基づいて第２のボリュームデータを発生する再構成処理部と、
前記第１のボリュームデータと前記第２のボリュームデータとの差分に基づいて、コーンビームアーチファクトを低減するための補正データを生成する補正データ生成部と、
前記補正データに基づいて、前記第１のボリュームデータを補正する補正部とを具備することを特徴とするＸ線コンピュータ断層撮影装置。
【請求項２】
被検体をコーンビームＸ線により走査して投影データを収集するガントリと、
第１の角度範囲をカバーする投影データセットに基づいて第１のボリュームデータを発生するとともに、前記第１の角度範囲よりも広い第２の角度範囲をカバーする投影データセットに基づいて第２のボリュームデータを発生する再構成処理部と、
前記第２のボリュームデータに基づいて、コーンビームアーチファクトを低減するための補正データを生成する補正データ生成部と、
前記補正データに基づいて、前記第１のボリュームデータを補正する補正部とを具備することを特徴とするＸ線コンピュータ断層撮影装置。
【請求項３】
被検体をコーンビームＸ線により走査して投影データを収集するガントリと、
第１の角度範囲をカバーする投影データセットに基づいて、コーンビームアーチファクトを低減するための補正データを生成する補正データ生成部と、
前記補正データに基づいて、前記第１の角度範囲よりも狭い第２の角度範囲をカバーする投影データセットを補正する補正部と、
前記補正された投影データセットに基づいてボリュームデータを発生する再構成処理部とを具備することを特徴とするＸ線コンピュータ断層撮影装置。
【請求項４】
被検体をコーンビームＸ線により走査して投影データを収集するガントリと、
第１の角度範囲に対応する第１の投影データセットに対して第１のデータ冗長度補正用重みを適用し、前記適用された第１の投影データセットに基づいて第１のボリュームデータを発生するとともに、前記第１の角度範囲より広い第２の角度範囲に対応する第２の投影データセットに対して第２のデータ冗長度補正用重みを適用し、前記適用された第２の投影データセットに基づいて第２のボリュームデータを発生するボリュームデータ発生部と、
前記第１のボリュームデータと前記第２のボリュームデータとの差分結果に基づいて、前記第１のボリュームデータを補正して、コーンビームアーチファクトを低減する補正部とを具備することを特徴とするＸ線コンピュータ断層撮影装置。
【請求項５】
前記ボリュームデータ発生部及び前記補正部で処理対象とされる投影データは１回転以上であることを特徴とする請求項４記載のＸ線コンピュータ断層撮影装置。
【請求項６】
前記補正部は、
前記第１のボリュームデータと前記第２のボリュームデータとを差分して第３のボリュームデータを発生する差分処理部と、
前記第３のボリュームデータにスムージング処理を適用して第４のボリュームデータを発生するスムージング処理部と、
前記第１のボリュームデータに前記第４のボリュームデータを加算する加算部とを有することを特徴とする請求項４記載のＸ線コンピュータ断層撮影装置。
【請求項７】
前記スムージング処理部は、前記第３のボリュームデータに対してアキシャル面内の二次元フィルタリングを適用することを特徴とする請求項６記載のＸ線コンピュータ断層撮影装置。
【請求項８】
前記第１、第２のデータ冗長度補正用重みは、管球位置を基準に１回転に束ねた場合に、０．５になるように生成されていることを特徴とする請求項４記載のＸ線コンピュータ断層撮影装置。
【請求項９】
前記第１の角度範囲は１８０°＋ファン角であり、前記第２の角度範囲は３６０°であることを特徴とする請求項４記載のＸ線コンピュータ断層撮影装置。
【請求項１０】
前記補正部は前記第１のボリュームデータと前記第４のボリュームデータとの加重をコーン角に応じて変えることを特徴とする請求項６記載のＸ線コンピュータ断層撮影装置。
【請求項１１】
前記補正部は前記第３のボリュームデータに対するスムージング処理の程度をコーン角に応じて変えることを特徴とする請求項６記載のＸ線コンピュータ断層撮影装置。
【請求項１２】
被検体をコーンビームＸ線により走査して投影データを収集するガントリと、
第１の角度範囲に対応する第１の投影データセットに対して第１のデータ冗長度補正用重みを適用し、前記適用された第１の投影データセットに基づいて第１のボリュームデータを発生するとともに、前記第１の角度範囲と同じ又は広い第２の角度範囲に対応する第２の投影データセットに対する第２のデータ冗長度補正用重みから前記第１のデータ冗長度補正用重みを引き算して第３のデータ冗長度補正用重みを生成し、前記第３のデータ冗長度補正用重みを前記第２の投影データセットに適用し、前記適用された第２の投影データセットに基づいて第２のボリュームデータを発生するボリュームデータ発生部と、
前記第２のボリュームデータに基づいて、前記第１のボリュームデータを補正して、コーンビームアーチファクトを低減する補正部とを具備することを特徴とするＸ線コンピュータ断層撮影装置。
【請求項１３】
前記第３のデータ冗長度補正用重みは、前記第１のデータ冗長度補正用重みと前記第２のデータ冗長度補正用重みとを単純加算し、かつ管球位置を基準に１回転に束ねた場合に、０．５になるように生成されていることを特徴とする請求項１２記載のＸ線コンピュータ断層撮影装置。
【請求項１４】
前記ボリュームデータ発生部及び前記補正部で処理対象とされる投影データは１回転以上であることを特徴とする請求項１２記載のＸ線コンピュータ断層撮影装置。
【請求項１５】
前記適用された第２のボリュームデータにスムージング処理を適用するスムージング処理部をさらに備えることを特徴とする請求項１２記載のＸ線コンピュータ断層撮影装置。
【請求項１６】
前記スムージング処理部は、前記適用された第２のボリュームデータに対してアキシャル面内の二次元フィルタリングを適用することを特徴とする請求項１５記載のＸ線コンピュータ断層撮影装置。
【請求項１７】
被検体をコーンビームＸ線により走査して投影データを収集するガントリと、
第１の角度範囲に対応する第１の投影データセットに対して第１のデータ冗長度補正用重みを適用し、前記第１の角度範囲より広い第２の角度範囲に対応する第２の投影データセットに対する第２のデータ冗長度補正用重みから前記第１のデータ冗長度補正用重みを引き算して第３のデータ冗長度補正用重みを生成し、前記第３のデータ冗長度補正用重みを前記第２の投影データセットに適用するとともに、前記適用された第２の投影データセットに基づいて前記適用された第１の投影データセットを補正する補正部と、
前記補正された第１の投影データセットに基づいてボリュームデータを発生するボリュームデータ発生部とを具備することを特徴とするＸ線コンピュータ断層撮影装置。
【請求項１８】
前記第３のデータ冗長度補正用重みは、前記第１のデータ冗長度補正用重みと前記第２のデータ冗長度補正用重みとを単純加算し、かつ管球位置を基準に１回転に束ねた場合に、０．５になるように生成されていることを特徴とする請求項１７記載のＸ線コンピュータ断層撮影装置。
【請求項１９】
前記補正部及び前記ボリュームデータ発生部で処理対象とされる投影データは１回転以上であることを特徴とする請求項１７記載のＸ線コンピュータ断層撮影装置。
【請求項２０】
前記適用された第２の投影データセットにスムージング処理を適用するスムージング処理部をさらに備えることを特徴とする請求項１７記載のＸ線コンピュータ断層撮影装置。
【請求項２１】
前記スムージング処理部は、前記適用された第２の投影データセットに対してファン方向とビュー方向との少なくとも一方向にフィルタリングを適用することを特徴とする請求項２０記載のＸ線コンピュータ断層撮影装置。